(57)【要約】【課題】移動局から基地局への上り回線における再送要求のデータ量を少なくし、また基地局側での処理を速くする。【解決手段】コード分割多重により複数の移動局と基地局とが交信するシステムにおいて、移動局は、再送要求として、所定の異常受信拡散コードを生成して送信する機能を備え、基地局は、プリアンプルを拡散してそのコードにより正常受信応答か、再送要求の受信応答かを先ず判別する機能Ｓ４を備えて、上記移動局からの異常受信拡散コードを判別すると、再送要求であるとして、再送制御Ｓ６を行うようにした。【選択図】        図１
2004180066.tif 000002
【特許請求の範囲】
【請求項１】
コード分割多重により複数の移動局と基地局とが交信するシステムにおいて、
上記移動局は、再送要求として、所定の異常受信拡散コードを生成して送信する機能を備え、
上記基地局は、移動局からのデータを逆拡散することで、移動局が生成した拡散コードにより正常受信応答か、再送要求の受信応答かを判別する機能を備えて、
上記移動局からの異常受信拡散コードを判別すると、再送要求であるとして、再送制御を行うようにしたことを特徴とする再送制御システム。
【請求項２】
基地局は、各移動局に対して受信応答の送信タイミングを順次ずらせて指定したことを特徴とする請求項１記載の再送制御システム。
【発明の詳細な説明】
【０００１】
【発明の属する技術分野】
本発明は携帯電話などの移動体通信システムに関するものであり、特に移動局と基地局装置との間でデータ送受する場合に、受信したデータが誤っていた場合の再送制御システムに関するものである。
【０００２】
【従来の技術】
第３世代移動体通信システムにおいて、データの再送制御は基地局制御装置（ＲＮＣ）と移動局（ＵＥ）に実装されている回路により、ＲＬＣレイヤのレベルで実施されている。以下図２、図７、図８、図９を用いて再送制御動作を説明する。
図２は、移動体通信システムのネットワーク構成図であり、図において、２０１は移動局、２０２は基地局装置（ＢＴＳ）、２０３は基地局制御装置、２０４はコアネットワーク（ＣＮ）である。図７は、従来の基地局が行う、再送制御が必要か否かを判断する動作フロー図である。情報を逆拡散処理し、受信データの内容を分析して、はじめて受信データ内容の正常／異常を判断できる。
図８（ａ）は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）において、移動局、基地局、基地局制御装置に実装されるプロトコルスタックを説明する図であり、図における７０１、７０２、７０３は、それぞれ移動局、基地局、基地局制御装置に実装されるプロトコルスタックである。図８（ｂ）は、第３世代移動体通信において、移動局、基地局、基地局制御装置に実装されるプロトコルスタックを説明する図であり、８０１、８０２、８０３は、それぞれ移動局、基地局、基地局制御装置に実装されるプロトコルスタックである。図９は、移動局、基地局制御装置に実装されている無線リンク制御（ＲＬＣ）レベルで行われる再送制御を説明する図である。
【０００３】
図９において、基地局制御装置から移動局に送信するデータで９０１、９０２、９０５の各データは正常に到達しており、９０３、９０４のデータが到達できなかった場合、移動局は９０６において、データ９０３、９０４の再送を促す。基地局制御装置は、再送要求９０６の信号を受信した時に、９０７、９０８のデータ送信でデータ９０３、９０４を再送する。
【０００４】
３．５世代と位置付けられているサービスであるＨＳＤＰＡでは、再送機能を基地局に持たせることが検討されている。図８（ａ）において、再送制御はプロトコル７０１と７０２のメディアアクセス制御（ＭＡＣ）レベル、およびプロトコル７０１、７０３のＲＬＣレベルで実施される。プロトコル７０１と７０２のＭＡＣレベルの再送を行うために、移動局から基地局方向（上り方向）に無線リンクを設定し、上り方向の無線リンク上に再送要否の情報を基地局に送信通知する。この送信されたメッセージ・パート部のデータを、図に示されるようにＳ１０２で逆拡散された後、Ｓ１０３でデータ分析して、初めて正常／異常を判断している。このための処理回路が必要となり、時間もかかる。
【０００５】
【発明が解決しようとする課題】
従来の再送制御は以上述べたように構成され、基地局側で再送の要否を判断するためには、移動局側で再送要求を示すデータを組み立てて送信し、このデータを受信して逆拡散処理後にデータ列を再生し、その再生した受信データ列の内容を解析して、初めて再送要求を検出できる。これは上り回線のリソースが少ないＨＳＰＤＡにおいて、上り回線を長く占有することになり、その有効利用を妨げるという課題がある。
また更に、基地局は下位レベルでのデータ解析のために時間がかかり、処理規模も少し大きくなる。
【０００６】
この発明は上記の課題を解決するためになされたもので、移動局から基地局への上り回線における再送要求のデータ量を少なくし、また基地局側での処理を速くする。
【０００７】
【課題を解決するための手段】
この発明に係る再送制御システムは、コード分割多重により複数の移動局と基地局とが交信するシステムにおいて、
移動局は、再送要求として、所定の異常受信拡散コードを生成して送信する機能を備え、
基地局は、移動局からのデータを逆拡散することで、移動局が生成した拡散コードにより正常受信応答か、再送要求の受信応答かを先ず判別する機能を備えて、上記移動局からの異常受信拡散コードを判別すると、再送要求であるとして、再送制御を行うようにした。
【０００８】
また更に、基地局は、各移動局に対して受信応答の送信タイミングを順次ずらせて指定した。
【０００９】
【発明の実施の形態】
実施の形態１．
上りデータ量を削減し、かつ判定時間を早くする実施の形態を図に基づいて説明する。
図１（ａ）は本実施の形態における基地局が行う再送判別の動作を示すフロー図である。図２は一般的な移動体通信システムの構成を示す図であり、図中の移動局２０１は所定のコードを用いて基地局２０２と交信し、それらは基地局制御装置２０３を経由してコアネットワーク２０４における他局と通信を行う。
図３は移動局の通信制御に関する機能構成を示す図であり、図４は基地局の同様な通信制御機能の構成を示す図である。また図５は、移動局と基地局間の再送制御に関するシーケンスを示す図である。
この構成における特徴は、移動局２０１側で、再送要求のために予め基地局間と定めた再送要求を意味する異常受信拡散コード（パターン）を取り決めておいて、再送制御が必要になると、これを基地局側に送信する確認信号生成部（機能）３０７を備え、また基地局２０２側では、図１に示す拡散コード判定機能Ｓ４を備えたことである。
【００１０】
図１ないし図５を用いてこのシステムの再送制御動作を説明する。
再送制御を説明する前に、先ず正常動作をシーケンス図の図５に基づき説明する。図２のシステムにおいて、基地局２０２は図４の構成により、有線伝送路部４０３からＭＡＣ４０２にデータが渡された時、ＭＡＣ４０２の再送制御部４０５は、物理レベル（ＰＨＹ）４０１の変調部４０７にデータの送信を行う（１０１ａ）。変調部４０７では無線上でデータの送信を行う（１０１ｂ）。これを受けた移動局では、復調部３０４で無線上でのデータを受信し、ＭＡＣ３０２の再送制御部３０５にデータを渡す（１０１ｃ）。ＭＡＣ３０２ではデータに誤りが無い場合、上位レイヤ３０３にデータを渡す。
【００１１】
同様の処理を行い、シーケンス１０２、１０３で正常にデータを受信した場合、移動局は正常にデータを受信できたことを基地局に通知する。即ち再送制御部３０５は、確認信号生成部３０７に正常にデータを受信したことを通知（１０４ａ）し、確認信号生成部では正常に受信したことを示す信号を生成する。ここで、第３世代移動体通信のＰＨＹで定義されているランダムアクセス制御（ＰＲＡＣＨ）を用いる。ＰＲＡＣＨでは、複数の移動局からのデータ送信要求を識別するために、図１（ｂ）に示すＰｒｅａｍｂｌｅ部６０１でシグネチャを使用する。このシグネチャは複数存在し、シグネチャが異なれば同一タイミングで送信されたＰｒｅａｍｂｌｅを基地局で受信することができる。正常に受信したことを示すシグネチャを定義し、確認信号生成部では正常に受信したことを示すシグネチャを送信する（１０４ｂ）。基地局の復調部４０４でＰｒｅａｍｂｌｅを受信し、そのシグネチャが正常であることを示す場合、再送制御部４０５に通知（１０４ｃ）し、更にＰｒｅａｍｂｌｅを受信したことを移動局に通知するための信号を生成するＡＣＫ生成部４０８に通知する。ＡＣＫ生成部では、ＡＣＫ信号を生成し、変調部４０７により信号を移動局に送信する（１０５）。
【００１２】
さて、次にデータに誤りがある場合の再送動作を説明する。
図５において、シーケンス１０６、１０８は正常にデータを受信し、シーケンス１０７はデータを正常に受信できなかったとする。ここで、移動局は１０９でデータを正常に受信できずに再送を要求する。このときシーケンス１０９において、予め基地局と定めた異常受信拡散コードを再送を要求するシグネチャとしてＰｒｅａｍｂｌｅ部６０１に設定して送信する。基地局は、このシーケンス１０９が図１（ａ）の動作フローのＳ４において再送を要求することを認識し、１１０でＡＣＫ信号を送信する。移動局は、ＡＣＫ信号受信により、ＭｅｓｓａｇｅＰａｒｔ部６０２に正常に受信できなかったデータ１０７を示す情報を載せて送信する（１１１）。基地局では、図１（ａ）の動作フローＳ６の処理として、移動局からのＭｅｓｓａｇｅ  Ｐａｒｔ受信を待ち、１１１の情報からデータ１０７が正常に受信できず再送が必要であることを認識し、再送データ１１２でデータ１０７を再送する。
【００１３】
なお図５のシーケンスでは、再送要求するデータの番号を上りデータ１１１のメッセージ・パート６０２に載せて送る場合を説明したが、移動局からの正常に受信したことを示す信号以降のデータを全て再送する、いわゆるＳｔｏｐ  Ａｎｄ  Ｗａｉｔ方式の場合には、Ｍｅｓｓａｇｅ  Ｐａｒｔ部の送信は必要なく、上り回線のデータ送信が必要ないので更にリソースを有効利用できる。
また上りデータ１１１で再送要求データ番号を通知するＳｅｌｅｃｔｉｖｅ  Ｒｅｐｅａｔ方式の場合でも、ハードウェア規模は多少大きくなるが、異常拡散コードの種類を複数用意し、それぞれにさかのぼるデータ番号を割り当てるようにすれば、再送データ数が少ない場合にはそれで情報が伝わるので、上り回線を使用してデータ番号等のデータを送信する必要がない。
【００１４】
実施の形態２．
実施の形態１では、１つの移動局との再送制御を説明した。実際には基地局は複数の移動局と通信を行っており、これらの移動局間の識別のため、再送要求のコード（パターン）もそれぞれ異なるコードを用意しなくてはならない。
こうすることは回路規模が大きくすることになるので、ここでは例えば１つのコードを複数の移動局が共有する方式を説明する。即ち複数の移動局に対して応答のタイミングを順次ずらせて応答するようにすれば、基地局ではその応答タイミングによりどの移動局からの応答であるかを判別できるので、同一の再送コードであっても各移動局に再送が必要か否かが直ちに識別できる。つまり実施の形態１で用いたプリアンプル部分でのコードを複数の移動局から応答として受信するが、各移動局が応答送信するタイミングを順次ずらせる。
【００１５】
図６は、＃０ないし＃１４の、１５の移動局に応答のタイミングを例えばタイミング５０１ないし５０５のように、各応答の間にＴ１タイミング（２０ミリ・セコンド）をずらせて応答するシステムとしている。＃０チャネルの移動局は基地局からの下り受信結果をタイミング５０１でのみ送信するよう指定され、次の移動局＃１は下り信号の受信確認をその２０ミリ秒後のタイミング５０２にのみ送信する。こうすれば再送要求のためのコードは複数の移動局があっても増やす必要がない。
【００１６】
【発明の効果】
以上のようにこの発明によれば、移動局はそれぞれ再送要求を表す異常受信拡散コードを送信し、基地局はコード比較により直ちにそれを検出して再送処理するので、上り回線を占有する機会が減ってリソースを有効利用でき、かつ判別時間も短縮できる効果がある。
【００１７】
また更に、基地局は、各移動局からの受信応答を受ける時間を順次ずらせたので、再送検出のための規模を小さくできる効果がある。
【図面の簡単な説明】
【図１】この発明の実施の形態１における基地局側の再送制御判定までの動作を示すフロー図と、移動局からの応答フォーマットを示す図である。
【図２】移動体通信システムの構成を示す図である。
【図３】実施の形態１における移動局の通信制御機能の構成図である。
【図４】実施の形態１における基地局の通信制御機能の構成図である。
【図５】実施の形態１における移動局と基地局間のシーケンスを示す図である。
【図６】この発明の実施の形態２における基地局が移動局に指示する通信タイミングを説明する図である。
【図７】従来の移動体通信システムにおける基地局が行う再送制御判定までの動作を示すフロー図である。
【図８】従来の移動体通信システムにおける実装プロトコルスタックを示す図である。
【図９】従来の移動体通信システムにおける移動局と基地局間のシーケンスを示す図である。
【符号の説明】
２０１  移動局、２０２  基地局、２０３  基地局制御装置、３０５  再送制御部、３０７  確認信号生成部（機能）、４０５  再送制御部、Ｓ４  受信データ拡散コード判定ステップ、Ｓ６  再送制御ステップ。
【図１】
2004180066.tif 000003
【図２】
2004180066.tif 000004
【図３】
2004180066.tif 000005
【図４】
2004180066.tif 000006
【図５】
2004180066.tif 000007
【図６】
2004180066.tif 000008
【図７】
2004180066.tif 000009
【図８】
2004180066.tif 000010
【図９】
2004180066.tif 000011